(57)【要約】【課題】すでに複合機が設置されている近傍に新たな複合機を設置する際、新たな複合機は複合機に設けたマイクを使い、周囲のすでに設置されている複合機から発せられる操作時のリッチサウンドを収集する。新たな複合機はすでに設置されている複合機とは異なる種別のリッチサウンドに設定し、新たな複合機とすでにある複合機で同種のリッチサウンドを使用しないようにする。【解決手段】音声入力マイクで周囲の音を常に拾い、近傍のＭＦＰの発生するリッチサウンドと自身の設定しているリッチサウンドがかぶっていたらリッチサウンドの種類を変える。【選択図】図２
2018069466.tif 000002
【特許請求の範囲】
【請求項１】
装置の動作、設定状況を使用者に音声情報にて提示する音声出力装置を有する情報処理装置において、
第一の装置は周囲の音声を収集する音声入力装置を有し、
第一の装置は収集された音声情報から周囲に設置された第二の装置から発せられる音声出力情報を処理する処理装置を有し、
処理された情報から前記第二の装置から発せられる音声出力情報と異なる音声出力情報を処理装置にて選択し、前記第一の装置の音声出力装置にて出力することを特徴とする情報処理装置。
【請求項２】
前記第一の装置の動作状態設定時にて前記第一の装置の音声出力装置から出力される音声パルスを前記第二の装置の音声入力装置で収集し、前記第二の装置の音声出力装置から出力される音声パルスを第一の装置の音声入力装置で収集することによって音声パルスによる第一と第二の装置間の相互情報通信を行うことを特徴とする請求項１に記載の情報処理装置。
【発明の詳細な説明】
【技術分野】
【０００１】
本発明は、トーン出力や音声出力を利用者に通知する情報処理装置に関する。
【背景技術】
【０００２】
従来トーン出力や音声出力を用いて利用者に動作状況を通知する情報処理装置では、周囲の音量に応じてその音量を制御するものがある（たとえば特許文献１を参照）。特許文献１による情報処理装置は電話に応用したものだが音声による動作状況の通知は複写機や印字装置、複合機などに広く使われている。
【先行技術文献】
【特許文献】
【０００３】
【特許文献１】特開平５−１７２６１９号公報
【発明の概要】
【発明が解決しようとする課題】
【０００４】
トーン出力や音声出力など音による状態の通知方式は利用者が装置を視認していなくとも確認できる利点があるが、複数の装置が隣接している場合次の問題点が生じる。トーン出力や音声出力など音波はその指向性が低いため、利用者はその発生箇所を正確に確認することは難しい。つまり、複数の装置が隣接して設置されており、同種のトーン出力や音声出力による通知が行われていると、どの装置から通知が行われているか判断が難しくなる問題が生じる。
【０００５】
これを防ぐためにはそれぞれの装置でトーン出力や音声出力の種類が重ならないよう設定する必要があるが、隣接する機器の設定を確認しながら行わなければならないため作業が煩雑になってしまう。
【０００６】
無線による近傍通信を利用して近傍の装置間で通知用音声の種別が重ならないように制御する手法もあるが、無線通信の有効範囲と通知用音声が聞こえる範囲が同じにならない場合、適切な設定が行えない問題もある。
【課題を解決するための手段】
【０００７】
上記の課題を解決するために、本発明に係る情報処理装置は、装置の動作、設定状況を使用者に音声情報にて提示する音声出力装置を有する情報処理装置において、第一の装置は周囲の音声を収集する音声入力装置を有し、第一の装置は収集された音声情報から周囲に設置された第二の装置から発せられる音声出力情報を処理する処理装置を有し、処理された情報から前記第二の装置から発せられる音声出力情報と異なる音声出力情報を処理装置にて選択し、前記第一の装置の音声出力装置にて出力することを特徴とする。
【発明の効果】
【０００８】
本発明によれば、隣接した装置の音声出力を参照したのち通知用音声の設定を行うため、隣接した装置で設定されている音声出力と異なる種類に音声出力の設定を行うことが容易となる。
【図面の簡単な説明】
【０００９】
【図１】複合機を示す図である。
【図２】複合機における操作パネルを示す図である。
【図３】音声通知の例を時系列で示した図である。
【図４】複数の複合機の設置を示した図である。
【図５】複合機において本発明に関連する機能のブロック図である。
【図６】実施例２における通知用音声設定チャート図である。
【発明を実施するための形態】
【００１０】
以下、本発明を実施するための形態について図面を用いて説明する。
（実施例１）
図１は、プリント・コピー機能を持つ複合機に使用している例である。複合機１０１は利用者が操作する操作パネル１０２が接続されている。利用者は複合機１０１を使用する際、操作パネル１０２を操作する。
【００１１】
図２は、操作パネル１０２の詳細である。操作パネル１０２はＬＣＤによる表示パネル２０１が装備されている。表示パネル２０１は複合機１０１の動作状態を表示する。表示パネル２０１はパネル表面に利用者が触ることで利用者による複合機１０１の操作を行うタッチパネル機能を有する場合もある。操作パネル１０２は入力用キー２０２を有している。入力用キー２０２は複合機１０１の利用者による操作を入力するために用いられる。また、表示パネル２０１がタッチパネル機能を有する場合、タッチパネル機能と入力用キー２０２は利用者による複合機１０１の操作をお互いに補完するように機能する。
【００１２】
表示パネル２０１に配置されている状態表示ランプ２０３は複写機１０１の動作状況について簡易的な内容を表示する。表示パネル２０１と状態表示ランプ２０３はどちらも利用者に対して複合機１０１の動作状態を通知するが、表示パネル２０１と状態表示ランプ２０３は次の違いがある。つまり、表示パネル２０１は利用者が複合機１０１に対面した状態で複合機１０１の詳細な動作状況を確認することに適し、状態表示ランプ２０３は利用者が複合機１０１から離れた状態でも複合機１０１の動作状況を大まかに確認することに適している。
【００１３】
操作パネル１０２はスピーカ２０４を有している。スピーカ２０４は利用者に対して複合機１０１の動作状況を音声によって通知する。また、操作パネル１０２は周囲の音声を収集するマイクロフォン２０５を有する。
【００１４】
図３に、スピーカ２０４による音声通知の例を述べる。図３にて横軸３０１は時間経過を表している。また、この図ではスリープ中の複合機１０１に対して印字作業をおここなったときの一連の流れを示している。図３にて複合機１０１がスタンバイ状態３０２になるとスピーカ２０４「スタンバイ」を示すトーンもしくは音声が発せられる。次にプリントが開始されると同様に「プリント開始」を示すトーンもしくは音声が発せられる。プリント終了３０４及びスリープ移行３０５も同様である。
【００１５】
図４に音声通知を行う複合機をすでに設置されている複合機の近傍に新たに１台設置する例を示す。図４において概設置複合機４０１の構成は図１における複合機１０１となっている。また、新規設置複合機４０２の構成も概設置複合機４０１と同様に図１における複合機１０１となっている。
【００１６】
設置複合機４０１は状態通知用音声出力において各状態における通知用音声の種別があらかじめ設定されている。概設置複合機４０１の近傍に新規設置複合機４０２を設置する際、設置作業者は新規設置複合機４０２を操作し新規設置複合機４０２の操作パネル１０２に取り付けられているマイクロフォン２０５により近傍の複合機による通知用音声を取得状態に設定する。次に設置作業者は概設置複合機４０１の状態を一時的に変更し、概設置複合機４０１から通知用音声の出力を行う。新規設置複合機４０２はこの通知用音声を取り込み取り込んだ通知用音声と異なるタイプの通知用音声に設定する。
【００１７】
図５は、複合機１０１における本発明に関連する部分のブロック図である。ＣＰＵ５０１はＮｏｒｔｈｂｒｉｄｇｅ５０２に接続されている。Ｎｏｒｔｈｂｒｉｄｇｅ５０２はＲＡＭ５０３とＳｏｕｔｈｂｒｉｄｇｅ５０４に接続されている。Ｓｏｕｔｈｂｒｉｄｇｅ５０４にはＲＯＭ５０５が接続されている。
【００１８】
複合機１０１は電源起動時の初期化動作時にＲＯＭ５０５に記録されているプログラムをＳｏｕｔｈｂｒｉｄｇｅ５０４、Ｎｏｒｔｈｂｒｉｄｇｅ５０２を介してＲＡＭ５０３に展開する。以降ＣＰＵ５０１の動作を記述しているプログラムはＲＡＭ５０３から読み出され、ＣＰＵ５０１にて実行される。複合機１０１の機能は前記プログラムによって司られている。
【００１９】
Ｓｏｕｔｈｂｒｉｄｇｅ５０４にはＰａｎｅｌ  Ｉ／Ｆ５０６が接続されている。Ｐａｎｅｌ  Ｉ／Ｆ５０６には図２における表示パネル２０１、入力用キー２０２、状態表示ランプ２０３、スピーカ２０４、マイクロフォン２０５が接続されている。これらの機器はＣＰＵ５０１で実行される前記プログラムによって制御される。ＲＯＭ５０５にはプログラム以外に状態通知用のトーン出力及び音声出力が複数種、デジタル情報化され記録されている。ＣＰＵ５０１にて実行される前記プログラムは必要に応じて状態通知用のトーン出力及び音声出力を選択し、スピーカ２０４へ出力する。
【００２０】
（実施例２）
実施例２においてハードウェアの構成は実施例１と同様である。実施例２において概設置複合機４０１に新規設置複合機４０２を配置する際、通知用音声の設定は次のように実行される。
【００２１】
図６は通知用音声の設定を示すチャートである。概設置複合機４０１は当初スタンバイＳ１０１を取っている。新規設置複合機４０２は設置された後、初期化プロセスＳ２０１を開始する。初期化プロセスＳ２０１が開始されると新規設置複合機４０２はＳ２０２にて初期化用音声トーンをスピーカ２０４を介して周囲に出力する。
【００２２】
スタンバイＳ１０１を取っている概設置複合機４０１はＳ２０２にて新規設置複合機４０２から出力された音声トーンをＳ１０２の初期化用音声トーン受信にてマイクロフォン２０５を使用して受信する。次に概設置複合機４０１はＳ１０３にて自身の音声出力の種別を符号化した情報を含むユニークＩＤを音声トーンとしてスピーカ２０４を介して周囲へ出力する。
【００２３】
Ｓ１０３にて出力された概設置複合機４０１の音声トーンは新規設置複合機４０２の音声トーン受信Ｓ２０３にて受信される。新規設置複合機４０２はＳ２０３にて音声トーンが受信されると次のＳ２０４で受信確認を示す音声トーンを発信する。設置複合機４０１はＳ１０３でユニークＩＤを音声トーンとして発信し続けているが、次のＳ１０４にて新規設置複合機４０２の受信確認音声トーンを受信が確認されると音声トーンの発信を停止する。
【００２４】
新規設置複合機４０２はＳ２０４で受信確認を発信した後、次のＳ２０５にて他の複合機によるＩＤを含む音声トーンが受信できるか判断する。ここで、受信できた場合はＳ２０３に戻り、他の概設置複合機の音声トーンを受信する。受信できなかった場合はＳ２０６に移行する。Ｓ２０６の周辺ＭＦＰプロファイル設定では新規設定複合機４０１の周囲に存在する複合機で音声トーンを返してきた複合機に関して使用しているトーン出力や音声出力の種別をまとめる。次にＳ２０７にて周囲の概設置複合機ですでに使用しているトーン出力や音声出力と合致しないパターンを設定しユニークＩＤとする。次にＳ２０８にて設定されたユニークＩＤを音声トーンとして周囲に出力する。
【００２５】
概設置複合機４０２ではＳ１０５にて新規設置複合機４０１より出力された音声トーンを受信する。次のＳ１０６にて受信した新規設置複合機４０１のユニークＩＤを概設置複合機４０１の持つ周囲複合機のプロファイルに追加する。
【００２６】
本実施例では概設置複合機４０１と新規設置複合機４０２で相互に音声トーンによる情報通信を行うことにより、トーン出力及び音声出力の種別選択を自動的に実行する。
【符号の説明】
【００２７】
１０２  操作パネル
２０１  表示パネル
２０２  入力用キー
２０３  状態表示ランプ
２０４  スピーカ
２０５  マイクロフォン
【図１】
2018069466.tif 000003
【図２】
2018069466.tif 000004
【図３】
2018069466.tif 000005
【図４】
2018069466.tif 000006
【図５】
2018069466.tif 000007
【図６】
2018069466.tif 000008